【手続補正書】
【提出日】平成26年7月18日(2014.7.18)
【手続補正１】
【補正対象書類名】特許請求の範囲
【補正対象項目名】全文
【補正方法】変更
【補正の内容】
【特許請求の範囲】
【請求項１】
上面パネルと、
前記上面パネルに連結する底面パネルと、
前記上面パネルに連結する第１内側パネルと、
ロック部材を有する挿入物と、を備え、
前記上面パネル、前記底面パネル、および前記第１内側パネルは、折り曲げられたとき、開放された第１端と閉鎖された第２端とを有するスリーブを形成し、
前記第１内側パネルは、前記第２端に隣接する第１切抜きを備えており、
前記スリーブ及び前記挿入物は、同挿入物が同スリーブ内において前記第１端と前記第２端との間で摺動方向に沿って摺動することを許容するよう構成され、
前記第１切抜きは、前記第１内側パネルに第１リップを形成して、前記挿入物が前記スリーブの中に位置しているときに前記ロック部材を受ける、包装器具。
【請求項２】
前記上面パネル及び前記底面パネルに連結する第１サイドパネルと、
前記上面パネル及び前記第１内側パネルに連結する第２サイドパネルと、
前記底面パネルに連結するエンドパネルと、をさらに備え、
前記上面パネル、前記底面パネル、前記第１内側パネル、前記第１サイドパネル、前記第２サイドパネル及び前記エンドパネルは、折り曲げられたときに、略矩形の断面を有する前記スリーブを形成する、請求項１の包装器具。
【請求項３】
前記第１内側パネルに連結する第２内側パネルと、
前記第１端に隣接する第２切抜きと、をさらに備え、
前記第２切抜きは、前記第２内側パネルに第２リップを形成して、前記挿入物が部分的に前記スリーブの中に位置しているときに、前記挿入物の前記ロック部材を受ける、請求項２に記載の包装器具。
【請求項４】
前記ロック部材は、第１ロック位置において前記第１リップと係合するよう構成され、
前記ロック部材は、第２ロック位置において前記第２リップと係合するよう構成される、請求項３に記載の包装器具。
【請求項５】
前記底面パネルは、力が加えられると前記ロック部材を解放するよう構成される部分的に切抜きされたボタン部を有する、請求項１に記載の包装器具。
【請求項６】
前記挿入物は少なくとも１つのブリスターパッケージである、請求項１に記載の包装器具。
【請求項７】
前記ロック部材はリベット又はフラップである、請求項１に記載の包装器具。
【請求項８】
上面パネルと、
前記上面パネルに連結する底面パネルと、
前記上面パネルに連結する第１内側パネルと、
前記第１内側パネルに連結する第２内側パネルと、
ロック部材を有する挿入物と、を備え、
前記上面パネル、前記底面パネル、前記第１内側パネル及び前記第２内側パネルは、折り曲げられたときに、開放された第１端と閉鎖された第２端とを有するスリーブを形成し、
前記第１内側パネル及び前記第２内側パネルは、前記第２端に隣接する第１切抜きを備えており、
前記スリーブは、前記スリーブ内において前記第１端と前記第２端との間で摺動方向に沿って摺動可能である前記挿入物を受容するよう構成され、
前記第１切抜きは第１リップを形成して、前記挿入物が前記スリーブの中に位置しているときに、前記ロック部材を受ける、包装器具。
【請求項９】
前記上面パネル及び前記底面パネルに連結する第１サイドパネルと、
前記上面パネル及び前記第１内側パネルに連結する第２サイドパネルと、
前記上面パネルに連結するエンドパネルと、をさらに備え、
前記上面パネル、前記底面パネル、前記第１内側パネル、前記第２内側パネル、前記第１サイドパネル、前記第２サイドパネル及び前記エンドパネルは、折り曲げられたときに、略矩形の断面を有する前記スリーブを形成する、請求項８の包装器具。
【請求項１０】
前記第１内側パネルに連結する第３内側パネルをさらに備え、
前記第１内側パネル及び前記第３内側パネルは、前記第１端に隣接する第２切抜きを有し、
前記第２切抜きは第２リップを形成して、前記挿入物が部分的に前記スリーブの中に位置しているときに、前記挿入物の前記ロック部材を受ける、請求項９に記載の包装器具。
【請求項１１】
前記ロック部材は、第１ロック位置において前記第１リップと係合するよう構成され、
前記ロック部材は、第２ロック位置において前記第２リップと係合するよう構成される、請求項１０に記載の包装器具。
【請求項１２】
前記底面パネルは、力が加えられると前記ロック部材を解放するよう構成される部分的に切抜きされたボタン部を有する、請求項８に記載の包装器具。
【請求項１３】
前記挿入物は少なくとも１つのブリスターパッケージである、請求項８に記載の包装器具。
【請求項１４】
前記ロック部材はリベット又はフラップである、請求項８に記載の包装器具。
【手続補正２】
【補正対象書類名】明細書
【補正対象項目名】００３１
【補正方法】変更
【補正の内容】
【００３１】
ブランク５００は数枚のパネルから構成するのが好ましく、スリーブ１０５を形成するために所定の折り線または事前破断線に沿って折り曲げられる。折り線は筋付けすることができる一方、事前破断線は筋押し操作によって形成され、その両方ともスリーブ１０５の組立中に様々なパネルを折り曲げることを簡単にするために提供される。また、スリーブ１０５の製造中に、数枚のパネルを所望の折り角（例、９０度または１８０度）で折り曲げ、パネル５０８、５０４、５５２、５３６および５５８をまとめて接着して、パネルをまとめて恒久的に結合することができる。図示するように、ブランク５００は内側パネル５０２、上面パネル５０４および底面パネル５０６を備える。内側パネル５０２は折り線５１０（また、第３折り線）および５１２を中心にして内側閉鎖パネル５０８に対して折り曲げられて、内側パネル５０２と内側閉鎖パネル５０８との間に左側パネル５１４を形成する。内側パネル５０２は矩形の切抜き５２８を含んでリップ５６４を形成し、これがリベットアセンブリ３３０（図３Ａ）に当接して、スリーブ１０５の内部にブリスターストリップ１１０をロックする。
【手続補正３】
【補正対象書類名】明細書
【補正対象項目名】００３３
【補正方法】変更
【補正の内容】
【００３３】
底面右側パネル５１６はフック５２２を含む一方、上面右側パネル５１８は同様のフック５２４を有する。底面右側パネル５１６を上面右側パネル５１８の上に折り曲げると、フック５２２がフック５２４の上に折り曲げられ、フック５２２および５２４がリベットアセンブリ３３０をフック５２２および５２４に当接させて、ブリスターストリップ１１０のスリーブ１０５からの離脱を防止する。また、上面右側パネル５１８および底面右側パネル５１６は折り線５２６（また、第２折り線）に沿って折り曲げられて、スリーブ１０５の前面にフック５２２および５２４がくるようにし、それによってユーザが力を加えなくても、ブリスターストリップ１１０がスリーブ１０５から離脱することを防止するための障害物を提供する。さらに、ブランク５００には底面右側パネル５１６、上面パネル５０４、底面パネル５０６および上面印刷パネル５５６にそれぞれ複数の同様な半球状の切抜き５０１、５０３、５０５および５０７と、上面右側パネル５１８を内側パネル５０２から分離する縁５２６に球形の切抜き５０９とが設けられている。切抜き５０１、５０９、５０３および５０５はスリーブ１０５のグリップ開口部を形成し、ブリスターストリップ１１０（図３Ａ、図３Ｂ）を単に指で握るだけでスリーブ１０５から実質的に滑り出ることができるようにする。
【手続補正４】
【補正対象書類名】明細書
【補正対象項目名】００３５
【補正方法】変更
【補正の内容】
【００３５】
操作時、図１〜５に図示するように、ブリスターストリップ１１０（図１）はスリーブ１０５の内部において選択的にロックされて、「Ｆ１」チャイルドレジスタント丸薬ディスペンサ１００を形成することができる。リベットアセンブリ３３０（図３Ａ）は内部リップ５６４と係合し、リベットアセンブリ３３０が内部リップ５６４から外れるまで、ブリスターストリップ１１０がスリーブ１０５の空洞内にロックされる。丸薬ディスペンサ１００がそのロック状態にあるとき、周縁４２０（図４）はリップ５６４（図５）の下に存在する。ブリスターストリップ１１０を方向１０２（図１）に摺動すると、雌リベット部材４１０（図４）がリップ５６４（図５）に当接し、ブリスターストリップ１１０が方
向１０２（図１）に滑り出ることを防止する。ブリスターストリップ１１０を解放するためには、ブリスターストリップ１１０（図１）を摺動する前に、押下げ可能な力をボタン２１５（図２）に加えることによって、雌リベット部材（図４）が上方に押されてリップ５６４（図５）から外れ、それによってリベットアセンブリ３３０（図３Ａ）が内側パネル５０２（図５）のリップ５６４から離脱する。それから、ブリスターストリップ１１０はブリスターストリップ１１０（図２）をスリーブ１０５から方向１０２（図１）に沿って摺動させることによって選択的に取り出すことができる。当然のことながら、リップ５６４（図５）は、様々なパネルを内側に折り曲げてスリーブ１０５を作ることによって、スリーブ１０５の底面に沿って存在させるように形成することができる。同様に当然のことながら、ボタン２１５（図２）を押す前にブリスターストリップ１１０を摺動すると、スリーブ１０５のボタン２１５（図２）に力を加えた後でもリップ５６４（図５）がリベットアセンブリ３３０（図３Ａ）から離脱することを防止するとともに、ブリスターストリップ１１０がスリーブ１０５から滑り出ることを防止する。
【手続補正５】
【補正対象書類名】明細書
【補正対象項目名】００３７
【補正方法】変更
【補正の内容】
【００３７】
次に、図７に図示するように、内側パネル５０２が折り線５３０（また、第４折り線）に沿って９０度折り曲げられて、内側折込みパネル５３４が事前破断線５３２に沿って９０度折り曲げられると、パネル５０４の外周の中に存在する。別の上面背面パネル５３６が事前破断線５３８に沿って折り曲げられると、裏壁が形成されて、内側閉鎖パネル５０８（図５）の内面が上面パネル５０４の内面に接着糊付けされるので、恒久的な接着結合が形成される。図８に図示するように、ブランク５００は折り線５４０（また、第５折り線）に沿って９０度折り曲げられて、さらに事前破断線５４２に沿って９０度折り曲げられると、内側パネル５２０を底面パネル５０６（図５）に存在させる。さらに、底面背面パネル５５８が９０度折り曲げられて、上面背面パネル５３６に接着結合されると、裏壁を形成する。
【手続補正６】
【補正対象書類名】明細書
【補正対象項目名】００３９
【補正方法】変更
【補正の内容】
【００３９】
図１０に図示する代替実施形態では、丸薬ディスペンサ１０００は、例えばブリスターストリップ１０１０など、ロック位置で、後端１０２０から開放端１０１５までスリーブ１００５の空洞内に存在する挿入物を受け入れるようになされているスリーブ１００５を備えることができる。図示するように、ブリスターストリップ１０１０は、ブリスタース
トリップ１０１０を方向１００２に沿って摺動運動で摺動させることにより、スリーブ１００５から選択的に取り出すことができる。丸薬ディスペンサ１０００は部分切抜き１２０２（図１２に図示される）を備えるロック機能を含む。ブリスターストリップ１０１０を解放して、ブリスターストリップ１０１０が方向１００２に沿って摺動できるようにするためには部分切抜き１２０２押下げられなければならず、これは以下示して説明する。当然のことながら、ブリスターストリップ１０１０は様々なパネルを折り曲げることによってスリーブ１００５の内部に形成されるリップ１２０４（図１２に図示される）と係合するための突起を含む。同様に当然のことながら、以下示して説明するように、丸薬ディスペンサ１０００は、ボタンを押す前にブリスターストリップ１０１０を摺動することでブリスターストリップ１０１０がスリーブ１００５の内部から解放されることを防止し、それによってブリスターストリップ１０１０がスリーブ１００５からすり抜け、ブリスターストリップ１０１０の潜在的に危険な内容物が子供に露出することを防止するチャイルドレジスタントロック機能を含む。
【手続補正７】
【補正対象書類名】明細書
【補正対象項目名】００４０
【補正方法】変更
【補正の内容】
【００４０】
ここで図１１Ａおよび図１１Ｂを参照すると、本発明の代替実施形態によるスリーブ１００５（図１０）とともに使用するためのブリスターストリップ１０１０の斜視図が示されている。図１１Ａに図示するように、ブリスターストリップ１０１０の斜視図は図３Ａおよび図３Ｂで図示して説明したブリスターストリップ１１０と実質的に同様なものであり、ベース１１０５を含み、これは可撓性の半硬質のプラスチックから構成されるのが好ましいが、射出成形プラスチック、厚いフォイル等を含めた様々な他の材料を使用することもできる。ブリスターストリップ１０１０は、ベース１１０５から形成されるブリスター１１１０などのブリスターも備える。ブリスター１１１０は丸薬または錠剤などの製品を受け入れるための空洞を含むが、他の非限定的な実施例では、ブリスター１１１０は非医薬品を収容することもできる。ある非限定的な実施例では、ブリスターストリップ１０１０は二次元行列に配列される「ソリッドフォームブリスター」であるが、ブリスター１１１０用のあらゆる種類の構成を本発明とともに利用することもできる。また、ブリスターストリップ１０１０は後縁１１２０の底面１１０７でベース１１０５にリベットされる半硬質のプラスチックから作られるのが好ましいロックパネル１１１５を含む（つまり、後縁１１２０は、図１０に図示するように、ロック位置で後端１０２０に位置付けられる）。以下に示して説明するように、ロックパネル１１１５は、方向１１３０でブリスター１１１０に向かって縁１１２０を包む略台形部分１１２５を含み、さらにリップ１２０４（図１２）に当接して、スリーブ１００５（図１０）のロック機能を可能にするために設けられる露出した縁１１３５を含む。他の非限定的な実施形態では、ロックパネル１１１５をベース１１０５に連結するために、ピン、糊、とじ金または他の同様な種類の装着手段を利用することができる。
【手続補正８】
【補正対象書類名】明細書
【補正対象項目名】００４２
【補正方法】変更
【補正の内容】
【００４２】
図１２は、本発明の代替実施形態によるスリーブ１００５を組み立てるために、所定の折り線または事前破断線に沿って折り曲げられる様々なパネルを有するブランク１２００を開示する。ブランク１２００は展開位置にあるスリーブ１００５である。ブランク１２００は板紙から作られるのが好ましく、耐引裂き性を高めるためにポリマーコーティングを被覆することができるが、他の非限定的な実施例では、ブランク１２００は耐久性のある紙、合成材料、または他の同様な種類の材料から作ることができる。ブランク１２００は、スリーブ１００５（図１０）を形成するために所定の折り線または事前破断線に沿って折り曲げられる数枚のパネルから構成するのが好ましい。折り線は筋付けされる一方で、事前破断線は筋押し操作によって形成され、その両方ともスリーブ１００５（図１０）の組立中に様々なパネルを折り曲げやすくするために設けられている。また、スリーブ１００５の製造工程中、数枚のパネルは所望の折り角度（例、９０°または１８０°）で折り曲げられ、パネル１２１４、１２１８、１２０８、１２４０、１２４６および１２１２はまとめてパネルを固定可能に連結するために糊付けすることができる。
【手続補正９】
【補正対象書類名】明細書
【補正対象項目名】００４５
【補正方法】変更
【補正の内容】
【００４５】
上面パネル１２１０は事前破断線１２３０および１２３２を中心に底面パネル１２１０に対して折り曲げられて、内側パネル１２０８と上面パネル１２１０との間に左側折込みパネル１２２８を形成する。ブランク１２００は部分切抜き１２０２を備えるロック機能を含み、ブリスターストリップ１０１０を離脱して、ユーザがブリスターストリップ１０１０を方向１００２（図１０に図示される）に沿って摺動させてブリスターストリップ１０１０の内容物を取り出せるようにするためには、部分切抜き１２０２を押下げなければならない。ブリスターストリップ１０１０はリップ１２０４と係合し、部分切抜き１２０２を押す前にブリスターストリップ１０１０を摺動した場合、リップ１２０４（図１２に図示される）がブリスターストリップ１０１０から外れることが防止され、このため、ブリスターストリップ１０１０がスリーブ１００５から滑り出ることが防止されている。これを以下示して説明する。
【手続補正１０】
【補正対象書類名】明細書
【補正対象項目名】００４６
【補正方法】変更
【補正の内容】
【００４６】
ここで図１２〜１５を参照すると、スリーブ１００５（図１０）を組み立てるプロセスは、ブランク１２００（図１２）の様々なパネルを所定の順序で折り曲げるステップを含むことができる。まず、図１２および図１３に図示するように、内側右側パネル１２１４は事前破断線１２１６に沿って１８０度折り曲げられて、内側パネル１２０８に糊付けされて、内側右側パネル１２１８を内側パネル１２０８の外周の中に恒久的に位置付ける。次に、内側左側パネル１２１８を事前破断線１２２０に沿って１８０度折り曲げて、内側パネル１２０８に糊付けして、内側左側パネル１２１８を内側パネル１２０８の外周の中に恒久的に位置付ける。次に、上面右側パネル１２３４を事前破断線１２３６に沿って１８０度折り曲げて、上面パネル１２１０に糊付けして、上面右側パネル１２３４を上面パネル１２１０の外周の中に恒久的に位置付ける。
【手続補正１１】
【補正対象書類名】明細書
【補正対象項目名】００４８
【補正方法】変更
【補正の内容】
【００４８】
操作時、図１０、図１１Ａ、図１２および図１６に図示するように、ブリスターストリップ１０１０（図１６）はスリーブ１００５の中に選択的にロックすることができるので、「Ｆ１」チャイルドレジスタント丸薬ディスペンサ１０００を形成する。図１６に図示するように、ロック機能はロックパネル１１１５を利用して係合されて、内側パネル１２０８の突出したリップと係合し、ロックパネル１１１５が離脱するまでブリスターストリップ１０１０をスリーブ１００５の空洞の内部にロックする。特に、丸薬ディスペンサ１０００がそのロック位置にあるとき、垂直軸１６０５に沿って揃えられている部分１１５０（図１６）の露出した縁１１５５（図１１Ｂ）は、リップ１２０４（図１６）の下に存在し、ブリスターストリップ１０１０が方向１６００に滑り出ることを防止する障害物を提供する。ブリスターストリップ１０１０を解放するためには、部分１１５０を上方に押してリップ１２０４から外し、それによってロックパネル１１１５を内側パネル１２０８から離脱するためにブリスターストリップ１０１０を摺動する前に、これも垂直軸１６０５に沿って揃えられている部分切抜き１２０２に押下げ可能な力を加える。これで、ブリスターストリップ１０１０は、ブリスターストリップ１０１０を方向１６００に沿って摺動することによって選択的に取り出すことができる。さらに、ブリスターストリップ１０１０が方向１６００に沿って摺動すると、内側右側パネル１２１４（図１２）のリップ１２０６が部分１１５０に当接してスリーブ１００５から離脱することを防止する。当然のことながら、部分切抜き１２０２を押す前にブリスターストリップ１０１０を摺動することで、ブリスターストリップ１０１０に摺動力を加えた後でも、リップ１２０４がロックパネル１１１５から離脱することを防止し、それによってブリスターストリップ１０１０がスリーブ１００５から滑り出ることを防止する。
【手続補正１２】
【補正対象書類名】図面
【補正対象項目名】図４
【補正方法】変更
【補正の内容】
【図４】
2013536131.tif 000001
【手続補正１３】
【補正対象書類名】図面
【補正対象項目名】図５
【補正方法】変更
【補正の内容】
【図５】
2013536131.tif 000002
【手続補正１４】
【補正対象書類名】図面
【補正対象項目名】図６
【補正方法】変更
【補正の内容】
【図６】
2013536131.tif 000003
【手続補正１５】
【補正対象書類名】図面
【補正対象項目名】図７
【補正方法】変更
【補正の内容】
【図７】
2013536131.tif 000004
【手続補正１６】
【補正対象書類名】図面
【補正対象項目名】図１２
【補正方法】変更
【補正の内容】
【図１２】
2013536131.tif 000005